(57)【要約】【課題】タワーの表面に発生する結露水を受け止めて所定の場所へ誘導することができる飲料のディスペンサー用結露水受け部材を提供する。【解決手段】カウンターＴに立設され飲料を導くためのタワー１の表面に発生した結露水を受けるために、タワー１の下部に装着される受け部５と、受け部５で受け取った結露水を所定の場所へ誘導する誘導部６と、を備えている。【選択図】  図１
0003205129.tif 000002
【実用新案登録請求の範囲】
【請求項１】
カウンターに立設され飲料を導くためのタワーの表面の結露水を受けるために、該タワーの下部に装着される受け部と、該受け部で受け取った結露水を所定の場所へ誘導する誘導部と、を備えていることを特徴とする飲料のディスペンサー用結露水受け部材。
【請求項２】
前記受け部は、前記タワーの表面に当接する環状の当接部と、該当接部から径方向外側に突出して結露水を受け取るとともに受け取った結露水を前記誘導部側へ移動させるための本体部と、を備えていることを特徴とする請求項１に記載の飲料のディスペンサー用結露水受け部材。
【請求項３】
前記誘導部は、誘導方向終端側ほど下方に位置する傾斜案内面を備えていることを特徴とする請求項１又は２に記載の飲料のディスペンサー用結露水受け部材。
【請求項４】
前記当接部の上端部に径方向内側に突出する環状の突条を備えていることを特徴とする請求項１〜３のいずれか１項に記載の飲料のディスペンサー用結露水受け部材。
【請求項５】
前記当接部の上下方向中間部に径方向内側に突出する第２の環状の突条を更に備えていることを特徴とする請求項４に記載の飲料のディスペンサー用結露水受け部材。
【請求項６】
前記受け部と前記誘導部とが合成樹脂又はゴムにより一体成形されていることを特徴とする請求項１〜５のいずれか１項に記載の飲料のディスペンサー用結露水受け部材。
【考案の詳細な説明】
【技術分野】
【０００１】
本考案は、ビール、ノンアルコールビール、ハイボール等の酒類の他、清涼飲料水を抽出するための飲料のディスペンサー用結露水受け部材に関する。
【背景技術】
【０００２】
例えば、ビアホールに設置されるビールのディスペンサーは、生樽から炭酸ガスの圧力で押し出されるビールを冷却装置により冷やしながら、カウンターに立設されるタワーまで送るように構成されている。そして、タワーに備える抽出レバーを操作することによって冷えたビールをジョッキに注ぐことができるようになっている（例えば、特許文献１参照）。
【先行技術文献】
【特許文献】
【０００３】
【特許文献１】特開２００３−２８５５２号公報
【考案の概要】
【考案が解決しようとする課題】
【０００４】
ところで、最近では、ビールを０°以下のマイナス温度にまで冷やした状態でタワーから抽出することができるように、又は注ぎ出すビールの冷たさを演出する目的などでタワー内部や表面を冷却している。これにより、大気中の水分がタワーの表面で結露して凍結される。そして、ビアホールの営業終了後に電源を切ることにより、タワーの表面の凍結が解除されると、解凍されて水に戻った結露水が多量に発生する。この多量の結露水がカウンター上に広がってしまうだけでなく、一部の結露水が床にも落下してしまうという問題が発生していた。また、従来の５〜６℃程度でビールを提供する場合においても室内の湿度が高い場合などに、空気中の水分が低温であるタワー表面に結露して同様の問題が発生していた。
【０００５】
そこで、本考案は、かかる事情に鑑みてなされたもので、タワーの表面の結露水を受け止めて所定の場所へ誘導することができる飲料のディスペンサー用結露水受け部材を提供することを課題とする。
【課題を解決するための手段】
【０００６】
本考案に係る飲料のディスペンサー用結露水受け部材は、カウンターに立設され飲料を導くためのタワーの表面の結露水を受けるために、該タワーの下部に装着される受け部と、該受け部で受け取った結露水を所定の場所へ誘導する誘導部と、を備えていることを特徴とする。
【０００７】
本考案によれば、タワーの表面に発生する結露水は、タワーの表面を伝って下方へと移動する。この移動してきた結露水を受け部で受け取り、受け取った結露水を誘導部で所定の場所に誘導して容器等に回収する、又は流し台へ排出するようにすれば、タワーを設置しているカウンター上に結露水が広がることがない。
【０００８】
また、本考案に係る飲料のディスペンサー用結露水受け部材は、前記受け部が、前記タワーの表面に当接する環状の当接部と、該当接部から径方向外側に突出して結露水を受け取るとともに受け取った結露水を前記誘導部側へ移動させるための本体部と、を備えていてもよい。
【０００９】
上記のように、タワーの表面に当接部を当接することによって、タワーの表面と受け部材の当接部との間に隙間が発生することを回避して結露水を本体部に確実に受け渡すことができる。本体部は、受け取った結露水を誘導部側へ移動させる。
【００１０】
また、本考案に係る飲料のディスペンサー用結露水受け部材は、前記誘導部が、誘導方向終端側ほど下方に位置する傾斜案内面を備えていてもよい。
【００１１】
上記のように、誘導部に移動してきた結露水は、誘導部の傾斜案内面で誘導方向終端側へ確実に誘導される。
【００１２】
また、本考案に係る飲料のディスペンサー用結露水受け部材は、前記当接部の上端部に径方向内側に突出する環状の突条を備えていてもよい。
【００１３】
上記のように、当接部の上端部に径方向内側に突出する環状の突条を備えていれば、当接部の上端部の内面とタワーの表面との間に隙間が発生することを確実に防止することができ、結露水を確実に受け取って所定の場所まで移動させることができる。
【００１４】
また、本考案に係る飲料のディスペンサー用結露水受け部材は、前記当接部の上下方向中間部に径方向内側に突出する第２の環状の突条を更に備えていてもよい。
【００１５】
上記のように、第２の突条を更に備えていれば、当接部の上端部に備えた突条の内面とタワーの表面との間から結露水が下方へ漏れたとしても、下方へ移動する結露水を第２の突条で確実に受け止めることができる。
【００１６】
また、本考案に係る飲料のディスペンサー用結露水受け部材は、前記受け部と前記誘導部とが合成樹脂又はゴムにより一体成形されていてもよい。
【００１７】
上記のように、受け部と誘導部とが合成樹脂又はゴムにより一体成形されていれば、受け部と誘導部とを別体成形してそれらを連結するものに比べて、部品点数を削減することができ、コスト面及び在庫管理面において有利になる。
【考案の効果】
【００１８】
以上の如く、本考案によれば、受け部と誘導部とからなる受け部材を備えることによって、タワーの表面の結露水を受け止めて所定の場所へ誘導することができるので、タワーを設置しているカウンター上に結露水が広がることがない。
【図面の簡単な説明】
【００１９】
【図１】本考案のディスペンサー用結露水受け部材をタワーの下部に装着した状態を示す斜視図である。
【図２】同ディスペンサー用結露水受け部材の側面図である。
【図３】同ディスペンサー用結露水受け部材の平面図である。
【図４】同ディスペンサー用結露水受け部材の正面図である。
【図５】他のディスペンサー用結露水受け部材を示し、（ａ）はそれの分解斜視図、（ｂ）はタワーの下部に装着した状態における横断平面図である。
【考案を実施するための形態】
【００２０】
以下、本考案に係る飲料の一例であるビールのディスペンサー用結露水受け部材の一実施形態について、図面に基づいて説明する。
【００２１】
まず、ビールのディスペンサーは、ビールが詰められている生樽（図示せず）へ供給する炭酸ガスが封入されたボンベ（図示せず）と、ボンベの炭酸ガスの圧力で生樽から押し出されるビールを冷却する冷却装置（図示せず）と、冷却装置を通って冷却されたビールが供給される縦長状のタワー１（図１参照）と、生樽とボンベの間を接続するホース（図示せず）と、生樽と冷却装置との間を接続するホース（図示せず）と、冷却装置とタワー１との間を接続するホース（図示せず）と、を備えている。ここでは、タワー１にも図示していない冷却装置を内部に備えており、ビールを氷点下（０℃以下）に維持した状態でジョッキに注げるようにしているが、タワー１に冷却装置を備えていない構成であってもよい。
【００２２】
タワー１は、図１に示すように、上下方向中間部から上端側ほど直径が大きくなり、かつ、上下方向中間部から下端側ほど直径が大きくなる形状に構成されているが、タワー１の形状はどのような形状であってもよい。このタワー１は、カウンターＴに立設されている。また、タワー１の上端部には、ビールを抽出する抽出口２Ａを下方に突設した抽出コック２と、抽出コック２を切り替えることでビールや泡を抽出する状態と抽出しない状態とに切り替える抽出レバー３と、を備えている。
【００２３】
そして、図１に示すように、カウンターＴに立設されたタワー１の下部に、本考案のディスペンサー用結露水受け部材４（以下において、単に受け部材という）を装着している。この受け部材４は、タワーの下部に装着されタワー１の表面の結露水（図１参照）を受けるための受け部５と、受け部５で受け取った結露水を所定の場所へ誘導する誘導部６と、を備えている。これら受け部５と誘導部６とは、各種の合成樹脂やゴムにて一体成形されている。
【００２４】
図２〜図４に示すように、受け部５は、タワー１の表面に当接する環状の当接部５１と、当接部５１から径方向外側に突出して結露水を受け取るとともに受け取った結露水を誘導部側へ移動させるための本体部５２と、を備えている。
【００２５】
当接部５１は、タワー１の下部の平面視における断面形状と同じ形状のおにぎり形状（３つの角が丸くなった三角形状、図３参照）に形成されるとともに、タワー１の下部の形状に合わせて下部側ほど直径が僅かに大きくなるテーパー面（図２及び図４参照）を有する環状の縦壁に形成されている。また、当接部５１の上端（上端よりも少し下側の上端部でもよい）の内面（テーパー面）には、径方向内側に突出する環状で断面形状が半円状（矩形状や多角形状でもよい）の第１突条５１Ａを備えている。更に、当接部５１の上下方向中間部（図２では、上下方向中央部であるが、中央部よりも上側寄り又は下側寄りでもよい）の内面（テーパー面）には、径方向内側に突出する環状で断面形状が半円状（矩形状や多角形状でもよい）の第２突条５１Ｂを備えている。受け部５を例えば弾性復元力のある合成樹脂（又はゴム）で構成していれば、第１突条５１Ａ及び第２突条５１Ｂがタワー１の表面との当接により弾性変形し、その弾性復元力により、第１突条５１Ａ及び第２突条５１Ｂとタワー１の表面とのシール性の向上を図ることができる。また、第１突条５１Ａ及び第２突条５１Ｂを省略し、受け部５の当接部５１の内面をフラット面に構成し、そのフラット面に別体成形した弾性復元力を有するシール材（図示せず）を備えさせて、前記シール性を高めるようにしてもよい。
【００２６】
本体部５２は、当接部５１から外側に突出して結露水を受ける外形が円形の受面５２Ｂと、この受面５２Ｂの外側に位置して該受面５２Ｂよりも一段高く形成され、かつ、誘導部６側ほど低くなる外周縁５２Ａと、を備えている。受面５２Ｂは、誘導部６から離れる側ほど高くなるように構成され、受面５２Ｂで受ける結露水が誘導部６側へ移動するように構成されている。
【００２７】
誘導部６は、誘導方向終端側ほど下方に位置する傾斜案内面６１Ａを有する下壁部６１と、下壁部６１の左右幅方向両側に上方に突出する左右一対の縦壁部６２，６３と、を備えている。従って、受面５２Ｂで移動する結露水を下壁部６１と左右一対の縦壁部６２，６３とで誘導する。これら縦壁部６２，６３は、受け部５側ほど左右幅が広くなるように構成されるとともに、受け部５の端部で外側に凸となる湾曲部を備えており、受け部５からの結露水を確実に受け取ることができるように構成されている。
【００２８】
前記のように結露水を誘導部６で所定の場所に誘導して容器（図示せず）に回収する、又は流し台（図示せず）へ排出するようにすれば、タワー１を設置しているカウンターＴ上に結露水が広がることがない。
【００２９】
尚、本考案は、前記実施形態に限定されるものではなく、本考案の要旨を逸脱しない範囲で種々の変更が可能である。
【００３０】
前記実施形態では、受け部５と誘導部６とが合成樹脂（又はゴム）により一体成形されている場合を示したが、受け部５と誘導部６とが別体成形されたものであってもよい。また、図５（ａ），（ｂ）に示す受け部材４であってもよい。つまり、図１〜図４で示した受け部５と形態が異なる受け部５５と、図１〜図４で示した誘導部６と同一構成の誘導部６とで受け部材４を構成してもよい。つまり、受け部５５が、図５（ｂ）に示すように、タワー１に巻き付けることにより断面形状円形に構成される可撓性を有する帯状のバンド部５６と、図５（ａ）に示すように、バンド部５６の上端に外側に突出するように一体形成されタワー１の表面の結露水を受け止める本体部５７と、を備えている。バンド部５６は、タワー１の表面に巻き付けることにより該表面に当接する当接部を構成する。本体部５７は、バンド部（当接部）５６の上端から外側に突出して結露水を受ける受面５７ａを形成する板部５７Ａと、この板部５７Ａの外側に位置して受面５７ａよりも一段高く形成され、かつ、誘導部６側ほど低くなる外周縁５７Ｂと、を備えている。受面５７ａは、誘導部６から離れる側ほど高くなるように構成され、受面５７ａで受ける結露水が誘導部６側へ移動するように構成されている。バンド部５６の一端には、バンド部５６をタワー１の表面に巻き付けた際に、バンド部５６の他端側へ延びて該他端部に重ね合わせられる延出部５８を備えている。そして、バンド部５６をタワー１の表面に巻き付けた際に、バンド部５６の他端部と延出部５８とを係止固定するための係止部材５９を備えている。係止部材５９は、所定の長さを有する帯板状に構成され、両端部のそれぞれに上下方向に長い係止爪５９ａを備えている。これら係止爪５９ａ，５９ａに係止する係止溝５６ａ，５６ｂを、延出部５８の表面とバンド部５６の他端部の表面とに上下方向に沿って形成している。前記のようにバンド部５６をタワー１の表面に巻き付けてから係止部材５９の５９ａ，５９ａをバンド部５６の他端部の係止溝５６ｂと延出部５８の係止溝５６ａとを係止することによって、バンド部５６をタワー１の表面に巻き付けた状態を保持する。この後、図５（ｂ）に示すように、別体成形された誘導部６をそれの誘導開始側端が受け部５の結露水排出側端の下方に位置するように配置する。誘導部６は、図１から図４と同様に構成され、誘導方向終端側ほど下方に位置する傾斜案内面６１Ａを有する下壁部６１と、下壁部６１の左右幅方向両側に上方に突出する左右一対の縦壁部６２，６３と、左右一対の縦壁部６２，６３を左右幅方向で連結する湾曲状の連結壁６４と、を備えている。従って、受面５２Ｂで移動する結露水を下壁部６１と左右一対の縦壁部６２，６３とで誘導する。前記縦壁部６２，６３は、受け部５側ほど左右幅が広くなっており、受け部５からの結露水を確実に受け取ることができるように構成されている。このように構成された受け部材４の受け部５によりタワー１の表面の結露水を受け取って誘導部６へ受け渡す。受け取った結露水は、誘導部６で所定の場所へ誘導される。
【００３１】
また、前記実施形態では、ビールのディスペンサー用結露水受け部材４を示したが、ノンアルコールビール、ハイボール等の酒類の他、清涼飲料水を冷却して抽出するディスペンサーのタワーに適用できる。要するに、本考案は、結露水が発生するタワーに適用できる。
【符号の説明】
【００３２】
１…タワー、２…抽出コック、２Ａ…抽出口、３…抽出レバー、４…受け部材、５，５５…受け部、６…誘導部、５１…当接部、５１Ａ…第１突条、５１Ｂ…第２突条、５２，５７…本体部、５２Ａ…外周縁、５２Ｂ…受面、５６…バンド部（当接部）、５７ａ…受面、５７Ａ…板部、５７Ｂ…外周縁、５８…延出部、５９…係止部材、５９ａ…係止爪、６１…下壁部、６１Ａ…傾斜案内面、６２，６３…縦壁部、６４…連結壁、Ｔ…カウンター
【図１】
0003205129.tif 000003
【図２】
0003205129.tif 000004
【図３】
0003205129.tif 000005
【図４】
0003205129.tif 000006
【図５】
0003205129.tif 000007